(57)【要約】【課題】  各種の悪臭、特に糞尿臭に対して優れたペアリング消臭効果を有する消臭剤組成物を提供すること。【解決手段】  アリルヘプタノエート、エチルバニリン、メチルジヒドロジャスモネート、ラズベリーケトンおよびオイゲノールから選択される少なくとも１種を有効成分として含有することを特徴とする消臭剤組成物、特に糞尿臭用消臭剤組成物。【選択図】  なし【特許請求の範囲】
【請求項１】
アリルヘプタノエート、エチルバニリン、メチルジヒドロジャスモネート、ラズベリーケトンおよびオイゲノールから選択される少なくとも１種を有効成分として含有することを特徴とする消臭剤組成物。
【請求項２】
糞尿臭用である請求項１記載の消臭剤組成物。
【請求項３】
カプセル化された請求項１または２記載の消臭剤組成物を含有することを特徴とする芳香・消臭剤。
【請求項４】
請求項１または２記載の消臭剤組成物を芳香器により揮散ないし蒸散することを特徴とする芳香・消臭剤。
【発明の詳細な説明】
【技術分野】
【０００１】
本発明は、各種の悪臭、特に糞尿臭の消臭に対して有効な消臭剤組成物に関する。
【背景技術】
【０００２】
生活環境に対する意識の変化に伴って、各種の悪臭の防止に対する関心が高まってきている。特に糞尿臭は、主にアンモニア、メルカプタン類、アミン類、インドール、スカトール等の三大悪臭を含む複合臭であり、このような糞尿臭を消臭することは高齢化社会における重要課題となっている。
【０００３】
一般的に、悪臭の消臭方法としては、化学的消臭法、物理的消臭法、生物的消臭法および感覚的消臭法がある。さらに、感覚的消臭法には、悪臭を他の香りでマスキングする方法と、人間の嗅覚の錯覚を利用した「ペアリング」または「臭いの相殺作用」と呼ばれている方法がある（非特許文献１参照）。
【０００４】
悪臭、特に糞尿臭に対する感覚的消臭法としてはいくつかの提案がなされており、例えば、各種の植物精油を利用したアンモニア臭に対する消臭剤（特許文献１参照）、ウイキョウ、オレンジ、チョウジ、マツ、ハッカ、ユーカリ、マンネンロウ、ローマカミツレから得られる天然精油を用いた消臭剤（特許文献２参照）、特定の匂いの感覚強度を有する化合物を含有する介護臭用消臭剤（特許文献３参照）、ジャスモン系化合物及びデルタラクトン類を消臭成分として含有する糞尿臭用消臭剤（特許文献４参照）などが提案されている。
【０００５】
【非特許文献１】フレグランスジャーナル，２３（１２），３３−３７（１９９５）
【特許文献１】特開平５−１６１６９６
【特許文献２】特開平９−１０３４７３
【特許文献３】特開２００２−２５３６５２
【特許文献４】特開２００２−２５３６５１
【発明の開示】
【発明が解決しようとする課題】
【０００６】
上述した悪臭、特に糞尿臭に対して感覚的消臭法を用いた消臭剤は、香りの強い香料を賦香してマスキングする方法であり、糞尿臭を完全に除去することは不可能であったり、香りが強すぎるため却って悪臭となったりして必ずしも満足のいくものではなかった。
【０００７】
従って、本発明の目的は、悪臭、特に糞尿臭に対して有効なペアリング効果を有する消臭剤組成物を提供することである。
【課題を解決するための手段】
【０００８】
そこで、本発明者らは各種の香料成分について悪臭、特に糞尿臭に対する消臭効果を官能的に評価する主観評価および人に対する生理応答として、連続指血圧の変化、近赤外線分光法による脳内酸化ヘモグロビンの変化を評価した結果、今回、特定の香料成分が各種の悪臭、特に糞尿臭に対してペアリング消臭効果があることを見いだし本発明を完成するに至った。
【０００９】
かくして、本発明は、アリルヘプタノエート、エチルバニリン、メチルジヒドロジャスモネート、ラズベリーケトン（ｐ−ヒドロキシフェニルブタノン）およびオイゲノールから選択される少なくとも１種を有効成分として含有することを特徴とする消臭剤組成物、特に糞尿臭用消臭剤組成物を提供するものである。
【発明の効果】
【００１０】
本発明によれば、各種の悪臭、特に糞尿臭に対して優れたペアリング消臭効果を有する消臭剤組成物を提供することができ、この消臭剤組成物を各種の芳香・消臭剤として用いることにより、生活環境にある各種の悪臭、特に糞尿臭の防止に有効である。
【発明を実施するための最良の形態】
【００１１】
本発明は、アリルヘプタノエート、エチルバニリン、メチルジヒドロジャスモネート、ラズベリーケトンおよびオイゲノール（以下、まとめて消臭成分Ａと称することがある）から選択される少なくとも１種を有効成分として含有する消臭剤組成物である。消臭成分Ａはそれぞれ単独でも２種以上の混合物としても使用することができる。本発明の消臭剤組成物における消臭成分Ａの配合割合は使用形態等により異なり特に制限されないが、通常、５〜１００重量％の範囲内を例示することができる。
【００１２】
本発明の消臭剤組成物には、消臭成分Ａ以外の香料成分も配合することができる。かかる香料成分としては、各種の天然精油、合成香料、例えば、「香料化学総覧，１，２，３［奥田治著  廣川書店出版］」、「Ｐｅｒｆｕｍｅ  ａｎｄ  ｆｌａｖｏｒ  Ｃｈｅｍｉｃａｌｓ，１，２［Ｓｔｅｆｆｅｎ  Ａｒｃｔａｎｄｅｒ著］」、「合成香料［印藤元一著  化学工業日報社出版］」などに記載の香料化合物を挙げることができる。
【００１３】
また、本発明の消臭剤組成物には、所望により上記した香料成分に、例えば、ジプロピレングリコール、イソパラフィン、ジエチレングリコールモノエチルエーテル、ジエチルフタレート、トリエチルシトレート、３−メチル−３−メトキシブタノールなどの溶剤類を配合することもできる。
【００１４】
本発明の消臭剤組成物は、そのまま液状として芳香・消臭剤などに使用することができるが、本発明の消臭剤組成物をカプセル化した形態で芳香・消臭剤に用いることにより消臭効果の持続性が向上して好適である。本発明の消臭剤組成物をカプセル化する方法としては利用する形態等によって異なり、特に制限されず、公知の方法を用いることができ、具体的には、界面重合法、イン・サイチュ（ｉｎ  ｓｉｔｕ）重合法、液中硬化法、相分離法（コアセルベーション）などを挙げることができる。このようにカプセル化された本発明の消臭剤組成物は、例えば、靴の中敷き用の芳香・消臭剤、寝具の芳香・消臭剤などに加工して用いることにより、芳香・消臭効果が持続され好適である。
【００１５】
本発明の消臭剤組成物は、芳香器により揮散ないし蒸散させる芳香・消臭剤として使用することにより、悪臭、特に糞尿臭を効果的に消臭することができる。芳香・消臭剤の剤型は特に制限されず、例えば、液体芳香・消臭剤、水性ゲル状芳香・消臭剤、油性ゲル状芳香・消臭剤、含浸芳香・消臭剤、エアゾール芳香・消臭剤などとすることができる。本発明の芳香・消臭剤には、それぞれの剤型により、本発明の消臭剤組成物以外に、例えば、界面活性剤、ゲル化剤、担持体、噴射剤、防腐剤、酸化防止剤、紫外線吸収剤、ｐＨ調整剤、無機塩、色素、エタノールなどの溶剤類などを適宜配合することができ、室内用、トイレ用などの芳香・消臭剤として使用することができる。
【００１６】
以下実施例により本発明の実施の態様をさらに具体的に説明する。
【実施例】
【００１７】
実施例１〜５および比較例１〜１０
下記の表１に示した１５品の香料成分について糞尿臭に対する消臭効果を、下記に示す（１．主観評価）で行い、主観評価において糞尿臭に対してペアリング消臭効果のあった香料成分については下記に示す（２．生理応答評価）にて確認試験を行った。なお、生理応答評価については、（２−１．連続指血圧評価）にて行った。
【００１８】
１．主観評価
（評価方法）
下記に示す疑似糞尿臭Ａと表１に示す１５品の香料成分のそれぞれについて、気相香気混合装置（特開２００２−１１３３３９号公報参照）にて、気相状態で混合し、その混合ガスを官能的に評価することにより糞尿臭に対する消臭効果を評価した。すなわち、それぞれの香料成分の２ｍｌをバイアルに入れ密封し、そのヘッドスペースガスを前記気相香気混合装置の混合部に供給し、一方、疑似糞尿臭Ａの２ｍｌもバイアルに入れ密封し、そのヘッドスペースガスを前記気相香気混合装置の混合部に供給した。疑似糞尿臭Ａのマスフローコントローラー（ＭＦＣ）による空気流量を１００ｍｌ／ｍｉｎに固定し、各香料成分のＭＦＣによる空気流量を１５０、１００及び５０ｍｌ／ｍｉｎに変化させ、それぞれの流量における糞尿臭に対する消臭効果を表１に示す。なお、表１の評価結果は５名のパネラーの評価を平均化して示す。表１の評価基準は下記に示す基準で評価した。
【００１９】
疑似糞尿臭Ａ
２８％アンモニア水                  ７０．００ｇ
メチルメルカプタン                    ０．０５ｇ
イソ吉草酸                            ０．１０ｇ
インドール                            ２．００ｇ
スカトール                            ０．２０ｇ
溶剤（ジプロピレングリコール）      ２７．６５ｇ
計                  １００．００ｇ    
評価基準
＋３：快
＋２：やや快
＋１：どちらかといえば快
０：快でも不快でもない
−１：どちらかといえば不快
−２：やや不快
−３：不快
【００２０】
【表１】
2005296169.tif 000002
※トリエチルシトレートにより５０重量％として使用した。
【００２１】
表１の主観評価の結果からアリルヘプタノエート、エチルバニリン、メチルジヒドロジャスモネート、ラズベリーケトンおよびオイゲノールが糞尿臭に対して優れたペアリング消臭効果を有することがわかった。
【００２２】
２．生理応答評価
上記の主観評価において、糞尿臭に対して優れたペアリング消臭効果を示した３品の香料成分について生理応答評価を行い、その効果を確認した。生理応答評価としては、下記に示す連続指血圧評価で行った。
【００２３】
２−１．連続指血圧評価
一般的に、交感神経活性が高まると心臓の収縮力は増加して血圧は上がる。一方、副交感神経活性が高まると心臓の収縮力は減少して血圧が下がる。すなわち、人がストレスを感じるときには血圧が上昇し、リラックスした状態では血圧が下がることが知られている（「木と森の快適さを科学する」宮崎良文著、社団法人全国林業改良普及協会発行）。この現象を応用して、上記の香料成分の糞尿臭に対する消臭効果を確認する検討を行った。
（評価方法）
被験者として女性１０名にて、閉眼座位で実施した。刺激前安静３０秒後、２０秒間においを提示し、連続的な指血圧を連続指血圧計（フィナプレス；Ｏｈｍｅｄａ  ２３００）にて測定した。図１〜５に疑似糞尿臭Ａのみ（対照）と疑似糞尿臭Ａ及び各香料成分を被験者１０名に提示したときの最高血圧の平均値と標準偏差の変化を示した。刺激前１０秒間と比較し、危険率５％で有意差がある場合に星印をつけた。検定には対応のあるＴ検定を用いた。
【００２４】
図１〜５の結果から、疑似糞尿臭Ａを提示した場合は、提示の前後で有意差が認められるが疑似糞尿臭Ａ及び各香料成分を提示した場合は、提示の前後で有意差がほとんど認められず、最高血圧の上昇が認められないことからいずれの香料成分も糞尿臭に対して消臭効果があることが生理応答から確認される。
【図面の簡単な説明】
【００２５】
【図１】比較基準として無臭空気を提示したときの最高血圧の平均値及び標準偏差の変化を示す図である。
【図２】疑似糞尿臭Ａを提示したときの最高血圧の平均値及び標準偏差の変化を示す図である。
【図３】疑似糞尿臭Ａ及びアリルヘプタノエートを提示したときの最高血圧の平均値及び標準偏差の変化を示す図である。
【図４】疑似糞尿臭Ａ及びエチルバニリンを提示したときの最高血圧の平均値及び標準偏差の変化を示す図である。
【図５】疑似糞尿臭Ａ及びメチルジヒドロジャスモネートを提示したときの最高血圧の平均値及び標準偏差の変化を示す図である。
【図１】
2005296169.tif 000003
【図２】
2005296169.tif 000004
【図３】
2005296169.tif 000005
【図４】
2005296169.tif 000006
【図５】
2005296169.tif 000007